(57)【特許請求の範囲】
【請求項１】
ベッド本体と、ヘッドボードとに分割可能なベッドのヘッドボードにおいて、
自立可能な厚みを有する箱状に形成され、前記ベッド本体に対向する面に、当該面の一側端部から他側端部まで水平方向に延びる溝状のレールが複数本設けられたボード本体と、
前記レールにスライド可能に係合する補助家具と、を備えることを特徴とするヘッドボード。
【請求項２】
請求項１に記載のヘッドボードにおいて、
前記補助家具は、
箱状に形成された収納家具であり、
床に載置されるとともに、前記ボード本体に対向する側の端部が前記レールに係合していることを特徴とするヘッドボード。
【請求項３】
請求項２に記載のヘッドボードにおいて、
前記収納家具は、
側面に開口部を有する中空箱状の収納本体と、
前記収納本体の中に、前記開口部から出し入れ可能に設けられた引き出しと、を備えることを特徴とするヘッドボード。
【請求項４】
請求項１に記載のヘッドボードにおいて、
前記補助家具は、
弾力性を有する材料で形成された背当てであり、
前記レールが設けられた面に当接しつつ前記レールに係合していることを特徴とするヘッドボード。
【請求項５】
ベッド本体と、ヘッドボードとに分割可能なベッドにおいて、
請求項１から４の何れか一項に記載のヘッドボードを備え、
前記ベッド本体は、
前記ヘッドボードと対向する面に被係止部が設けられ、
前記レールにスライド可能に係合する係止部材によって前記被係止部が係止されていることを特徴とするベッド。
【発明の詳細な説明】
【技術分野】
【０００１】
本発明は、ベッドのヘッドボードおよびベッドに関する。
【背景技術】
【０００２】
部屋の中に棚を設ける方法として、従来、所定間隔を空けて壁に水平に配設された複数のレールに、スライド可能に係合する支持部材を介して壁に棚板を取り付ける方法が知られている（特許文献１参照）。このようにすれば、壁の任意の箇所に棚を設けることができるので、部屋のレイアウトの幅が広がるし、この壁に接するようにベッドを設置すれば、棚を就寝時に必要な小物等の載置スペースとして利用することができ便利である。
【先行技術文献】
【特許文献】
【０００３】
【特許文献１】特開２００８−２９１４６９号公報
【発明の概要】
【発明が解決しようとする課題】
【０００４】
特許文献１に示したような棚をベッド上で利用できるようにするためには、ベッドを壁に寄せて設置しなければならず、ベッドの位置が限られてしまっていた。
【０００５】
本発明は、上記課題に鑑みてなされたもので、ベッドの配置に制約されることなく、ベッドの枕元に棚等の家具を自由にレイアウトできるようにすることを目的とする。
【課題を解決するための手段】
【０００６】
上記課題を解決するため、請求項１に記載の発明は、例えば図１〜８に示したように、ベッド本体２と、ヘッドボード３とに分割可能なベッド１のヘッドボード３において、自立可能な厚みを有する箱状に形成され、前記ベッド本体２に対向する面に、当該面の一側端部から他側端部まで水平方向に延びる溝状のレール４４が複数本設けられたボード本体４と、前記レール４４にスライド可能に係合する補助家具５〜７，９と、を備えることを特徴とする。
ここで、「補助家具」とは、就寝時等に使用する収納家具や、ベッド上でくつろぐために使用する背当て等である。
【０００７】
請求項１に記載の発明によれば、自立できるのでボード本体４および補助家具５〜７，９を部屋内の任意の位置に設置することができる。また、ベッド本体２に対向する面の一側端部から他側端部まで延びるレール４４が複数設けられている。このため、ベッド１を部屋の壁に近接するように配置しなくても、ベッド１の枕元に補助家具５〜７，９を自由にレイアウトすることができる。
【０００８】
請求項２に記載の発明は、請求項１に記載のヘッドボード３において、例えば図７に示したように、前記補助家具は、箱状に形成された収納家具７であり、床Ｆに載置されるとともに、前記ボード本体４に対向する側の端部が前記レール４４に係合していることを特徴とする。
【０００９】
請求項２に記載の発明によれば、ボード本体４の側端部で収納家具７を係合しておくことで、ベッドサイドの収納として用いることができる。
また、床Ｆに接する収納家具７がボード本体４に係止されるので、収納家具７とボード本体４とが離れたり、収納家具７がボード本体４に対しレール４４の延設方向にずれたりするのを防ぐことができるし、ボード本体４をより安定的に自立させることができる。
【００１０】
請求項３に記載の発明は、請求項２に記載のヘッドボード３において、例えば図７に示したように、前記収納家具７は、側面に開口部７１ｅを有する中空箱状の収納本体７１と、前記収納本体７１の中に、前記開口部７１ｅから出し入れ可能に設けられた引き出し７２と、を備えることを特徴とする。
【００１１】
請求項３に記載の発明によれば、引き出し７２を大きく引き出すと、中身の重みで収納家具７が引き出しの方に倒れやすくなるが、収納本体７１がボード本体４に係止されているので、収納家具７を倒れにくくすることができる。
【００１２】
請求項４に記載の発明は、請求項１に記載のヘッドボード３において、前記補助家具は、弾力性を有する材料で形成された背当て９であり、前記レール４４が設けられた面に当接しつつ前記レール４４に係合していることを特徴とする。
【００１３】
請求項４に記載の発明によれば、ベッド本体２を座部に、ヘッドボード３を背もたれにして、ベッド１をソファのように使用することができる。
【００１４】
請求項５に記載の発明は、例えば図２に示したように、ベッド本体２と、ヘッドボード３とに分割可能なベッド１において、請求項１から４の何れか一項に記載のヘッドボード３を備え、前記ベッド本体２は、前記ヘッドボード３と対向する面に被係止部２２が設けられ、前記レール４４にスライド可能に係合する係止部材８によって前記被係止部２２が係止されていることを特徴とする。
【００１５】
請求項５に記載の発明によれば、係止部材８と被係止部２２とが係合して、互いの相対移動を規制するので、ベッド１を使用し続けていくうちに、ベッド本体２とヘッドボード３とが離れたり横にずれたりしてしまうのを防ぐことができる。
【発明の効果】
【００１６】
本発明によれば、ベッドの配置に制約されることなく、ベッドの枕元に棚等の家具を自由にレイアウトすることができる。
【図面の簡単な説明】
【００１７】
【図１】本発明の第１実施形態に係るベッドの斜視図である。
【図２】（ａ）は図１のII−II断面図であり、（ｂ）は図１のベッドの組み立て時における平面図である。
【図３】図１のベッドを構成するボード本体の正面図である。
【図４】図３のIV−IV断面図である。
【図５】図１のＶ−Ｖ断面図である。
【図６】図１のベッドを構成する補助家具の側面図である。
【図７】図１のベッドを構成するヘッドボードの側面図である。
【図８】本発明の第２実施形態に係るベッドの斜視図である。
【発明を実施するための形態】
【００１８】
＜第１実施形態＞
以下、図面を参照して、本発明の第１実施形態について詳細に説明する。図１は本実施形態に係るベッド１の斜視図、図２（ａ）は図１のII−II断面図、図２（ｂ）はベッド１の組み立て時における平面図、図３はベッド１を構成する部材の正面図、図４は図３のIV−IV断面図、図５は図１のＶ−Ｖ断面図である。
【００１９】
本実施形態のベッド１は、図１に示したように、ベッド本体２と、ヘッドボード３と、で構成されている。
【００２０】
ベッド本体２は、図示しないフレームと、図２に示した、マットレス２１と、一対の被係止部２２と、で構成されている。
各被係止部２２は、固定部２２ａと、折り返し部２２ｂと、対向部２２ｃと、で平面視Ｕ字状に形成されている。
固定部２２ａは、マットレス２１のヘッドボード３と対向する側面の両端部に、鉛直方向にスライド可能に取り付けられている。
対向部２２ｃは、固定部２２ａにおけるマットレス２１の中心寄りの端部に設けられた折り返し部２２ｂを介して、固定部２２ａから所定間隔を空けるとともに、固定部２２ａと並行に設けられている。
【００２１】
ヘッドボード３は、図１，２に示したように、ボード本体４と、補助家具５〜７と、一対のベッド係止部材８と、で構成されている。
ボード本体４は、図１〜４に示したように、フレーム４１と、装飾部４２と、ランプ４７と、カバー４８と、で自立できる厚みを有する箱型に形成されている。
【００２２】
フレーム４１は、底板４１ａと、一対の側板４１ｂと、中横板４１ｃと、上横板４１ｄと、上背板４１ｅと、下背板４１ｆで構成されている。
底板４１ａは、長手方向の横幅が、ベッド本体の、ヘッドボード３の正面に沿う方向の横幅に補助家具５二つ分の横幅を併せた以上の矩形の板材で、床Ｆに載置されている。
一対の側板４１ｂは、ボード本体４の側面をなす縦方向に長尺な矩形の板材で、底板４１ａの両端部から、鉛直上方に延設されている。
中横板４１ｃは、一方の側板４１ｂ中間部から他方の側板４１ｂの中間部まで延設されている。
上横板４１ｄは、一方の側板４１ｂ上部から他方の側板４１ｂの上部まで延設されている。
上背板４１ｅは、ボード本体４の背面上部をなす矩形の板材で、中横板４１ｃの背面、上横板４１ｄの背面および一対の側板４１ｂに固定されている。
下背板４１ｆは、ボード本体４の背面下部をなす矩形の板材で、底板４１ａの背面および中横板４１ｃの背面に着脱可能に取り付けられている。
【００２３】
装飾部４２は、ボード本体４の正面を形成する部材で、下地材４３と、複数のレール部材４４と、係合部材４５と、複数の化粧板４６と、で構成されている。
下地材４３は、正面視矩形の板材で、フレーム４１の底板４１ａ正面および中横板４１ｃ正面に固定されている。
【００２４】
レール部材４４は、長さがフレーム４１の底板４１ａと略等しい金属製の部材で、図２（ａ）に示したように、凹部４４ａが形成されたレール本体４４ｂと、上凸部４４ｃと、下凸部４４ｄと、上当接部４４ｅと、下当接部４４ｆと、で構成されている。
レール本体４４ｂは、下地材の正面に、凹部４４ａがベッド本体２の方向に開放されかつ、水平に延びるように取り付けられている。
上凸部４４ｃは、レール本体４４ｂの上面から上方に向かって突出するように形成されている。
下凸部４４ｄは、レール本体４４ｂの下面から下方に向かって突出するように形成されている。
上当接部４４ｅは、レール本体４４ｂの上凸部４４ｃよりも後方から上方に延設されている。
下当接部４４ｆは、下凸部４４ｄの背面から後方に延びるとともに上当接部４４ｅの真下から下方に延設されている。
このように構成された各レール部材４４は、図４に示したように、下地材４３の正面に、所定間隔を開けて鉛直方向に並ぶように複数配置され、固定具Ｂ１で下地材４３に固定されている。
【００２５】
係合部材４５は、下地材４３の下端部に沿って延設される部材で、上方に向かって突出する凸部４５ａを有している。
化粧板４６は、正面視矩形の板材で、上面および下面（一番上の化粧板４６は下面のみ）には、図２に示したように、延設方向に沿って溝４６ａ，４６ｂが形成されている。化粧板４６は、下面の溝４６ａをレール部材４４の上凸部４４ｃまたは係合部材４５の凸部４５ａに嵌合（係合）させるとともに、上面の溝４６ｂをレール部材４４の下凸部４４ｄに嵌合させている。更に、化粧板４６は、図４に示したように、下地材４３の背面から釘やビス等の固定具Ｂ２を打ち込むまたは螺入させることにより固定されている。
【００２６】
また、上述したように構成された装飾部４２の下部には、図３に示したように、複数のボルト穴４２ａが、下地材４３および化粧板４６を貫通するように形成されている。これにより、従来のボルトとナットによってヘッドボードに結合するタイプのベッド本体にも対応可能となっている。
【００２７】
ランプ４７は、図４に示したように、上横板４１ｄの上面に、フレーム４１の上背板４１ｅ、上横板４１ｄおよび装飾部４２によって形成される凹部４ａに収まり、かつ上方を照らすように設けられている。
カバー４８は、光を透過可能な樹脂製またはガラス製の板材であり、フレーム４１の上面および装飾部４２の上面に、凹部４ａを覆うように載置されている。
【００２８】
補助家具５〜７は、複数種類あり、本実施形態においては、図１に示したように、棚５、開口式収納６、引き出し式収納７の三種類がある。補助家具５〜７は、着脱自在であり、複数種類の中から自由に選択して取り付けることが可能である。
【００２９】
棚５は、図５に示したように、棚係止部材５１と、棚板５２と、で構成されている。
棚係止部材５１は、壁面当接部５１ａと、嵌合部５１ｂと、上支持部５１ｃと、下支持部５１ｄと、凸部５１ｅと、で構成されている。
壁面当接部５１ａは、矩形板状をなし、ボード本体の正面に沿って設けられている。
嵌合部５１ｂは、壁面当接部５１ａの上端部から後方へ延設されている。
上支持部５１ｃは、壁面当接部５１ａの上端部から前方へ延設されている。
下支持部５１ｄは、壁面当接部５１ａの下端部および中間部から、前方へ延設されている。
凸部５１ｅは、壁面当接部５１ａ正面であって、上支持部５１ｃと下支持部５１ｄとの間から前方に向かって突出している。
棚板５２は、木やガラスで形成された矩形の板材であり、背面には嵌合穴５２ａが形成されている。棚板５２は、嵌合穴５２ａを棚係止部材５１の凸部５１ｅに嵌合させるとともに、上支持部５１ｃと下支持部５１ｄとに挟まれている。
【００３０】
開口式収納６は、図６に示したように、箱部６１と、収納係止部材６２と、で構成されている。
箱部６１は、天板６１ａと、底板６１ｂと、一対の側板６１ｃと、背板６１ｄと、によって、正面に開口部６１ｅを有する箱状に形成されている。
収納係止部材６２は、背板当接部６２ａと、嵌合部６２ｂと、で構成されている。
背板当接部６２ａは、矩形板状をなし、箱部６１の背面に固定されている。
嵌合部６２ｂは、背板当接部６２ａの上端から後方へ延設されている。
【００３１】
引き出し式収納７は、図７に示したように、収納本体７１と、引き出し７２と、支持台７３と、収納係止部材７４と、で構成されている。
収納本体７１は、天板７１ａと、底板７１ｂと、一対の側板７１ｃと、背板７１ｄと、によって、正面に開口部７１ｅを有する箱状に形成されている。
引き出し７２は、ボード本体４の正面と直交する方向にスライドさせることが可能となっている。
支持台７３は、箱状に形成され、収納本体７１の底面に取り付けられるとともに、床に載置されている。
収納係止部材７４は、開口式収納６の収納係止部材６２と同様に構成されている。
【００３２】
このように構成された各種補助家具５〜７は、それぞれが備える係止部材５１，６２，７４の嵌合部５１ｂ，６１ｂを、複数設けられた内の任意のレール部材の凹部４４ａに嵌合させることにより、ボード本体４の正面に、水平方向にスライド可能に取り付けられている。
【００３３】
なお、引き出し式収納７は、床Ｆに接しているので、実際にはスライドさせることが困難となっている。しかし、係る構成により、引き出し７２を大きく引き出した場合に、引き出し式収納７が正面側に倒れてしまうのを防ぐことができるようになっている。また、係る構成により、ヘッドボード３の下面は略Ｌ字状となるので、自立可能なヘッドボード３がより安定的に自立できるようになっている。
【００３４】
ベッド係止部材８は、ボード本体４の一番下に設けられたレール部材４４に係合する部材で、図２に示したように、垂下部８ａと、嵌合部８ｂと、ガイド部８ｃと、で構成されている。
垂下部８ａは、鉛直方向に長い板状に形成されている。
嵌合部８ｂは、垂下部８ａの上端から垂下部８ａの背面と直交する方向に延設されている。
ガイド部８ｃは、垂下部８ａ背面から突出している。
このベッド係止部材８の嵌合部８ｂを、一番下のレール部材の凹部４４ａに嵌合させることにより、ガイド部８ｃがボード本体４の正面に当接し、垂下部８ａがボード本体４の正面からガイド部８ｃの突出長だけ離間した状態を保ったまま水平方向にスライド可能となる。
【００３５】
このように構成されたボード本体４に、図２に示した被係止部２２を有するベッド本体２を組み合わせる場合には、まず、一対のベッド係止部材８をボード本体４の両端部側にそれぞれ寄せた（互いに離れた）状態とし、ベッド本体２を、被係止部２２がボード本体４に当接するように配置する。そして、各ベッド係止部材８を互いに近づく方向にスライドさせると、垂下部８ａが被係止部２２の固定部２２ａと対向部２２ｃの間に入り込み、ベッド本体２がヘッドボード３に係止される。
【００３６】
以上のように、本実施形態では、図１〜８に示したように、ベッド本体２と、ヘッドボード３とに分割可能なベッド１のヘッドボード３において、自立可能な厚みを有する箱状に形成され、正面（ベッド本体２に対向する面）に、当該正面の一側端部から他側端部まで水平方向に延びる溝状のレール部材４４（レール）が複数本設けられたボード本体４と、レール部材４４にスライド可能に係合する補助家具５〜７と、を備えるものとした。
こうすることで、ボード本体４が自立できるので、ボード本体４および補助家具５〜７，９を部屋内の任意の位置に設置することができる。また、ベッド本体２に対向する面の一側端部から他側端部まで延びるレール部材４４が複数設けられている。このため、ベッド１を部屋の壁に近接するように配置しなくても、ベッド１の枕元に補助家具５〜７，９を自由にレイアウトすることができる。
【００３７】
また、本実施形態のヘッドボード３は、図７に示したように、補助家具は、箱状に形成された引き出し式収納７（収納家具）であり、床Ｆに載置されるとともに、ボード本体４に対向する側の端部がレール部材４４に係合しているものとした。
こうすることで、ボード本体４の側端部で引き出し式収納７を係合しておくことで、ベッドサイドの収納として用いることができる。
また、床Ｆに接する引き出し式収納７がボード本体４に係止されるので、引き出し式収納７とボード本体４とが離れたり、引き出し式収納７がボード本体４に対しレール部材４４の延設方向にずれたりするのを防ぐことができるし、ボード本体４をより安定的に自立させることができる。
【００３８】
また、本実施形態のヘッドボード３は、図７に示したように、引き出し式収納７には、ボード本体４の正面（側面）に開口部７１ｅを有する中空箱状の収納本体７１と、収納本体７１の中に、開口部７１ｅから出し入れ可能に設けられた引き出し７２と、を備えるものとした。
こうすることで、引き出し７２を大きく引き出すと、中身の重みで引き出し式収納７が引き出しの方に倒れやすくなるが、収納本体７１がボード本体４に係止されているので、引き出し式収納７を倒れにくくすることができる。
【００３９】
また、本実施形態では、図２に示したように、ベッド本体２と、ヘッドボード３とに分割可能なベッド１において、上述したヘッドボード３を備え、ベッド本体２は、正面に被係止部２２が設けられ、レール部材４４にスライド可能に係合するベッド係止部材８（係止部材）によって被係止部２２が係止されているものとした。
こうすることで、ベッド係止部材８と被係止部２２とが係合して、互いの相対移動を規制するので、ベッド１を使用し続けていくうちに、ベッド本体２とヘッドボード３とが離れたり横にずれたりしてしまうのを防ぐことができる。
【００４０】
＜第２実施形態＞
次に、本発明の第２実施形態について説明する。なお、ここでは、第１実施形態と相違する点のみ説明することとする。図８は本実施形態の本実施形態に係るベッド１Ａの斜視図である。
【００４１】
第１実施形態のベッド１は、補助家具５〜７が収納家具であったのに対し、本実施形態のベッド１Ａは、補助家具が背当て９となっている点が異なっている。
背当て９は、図８に示したように、背当て係止部材９１と、クッション部９２と、で構成されている。
背当て係止部材９１は、ボード本体４の正面に当接する板部９１ａと、板部９１ａの上端に設けられ、レール部材４４に嵌合する嵌合部９１ｂと、で構成されている。
クッション部９２は、背当て係止部材９１の板部９１ａの正面に取り付けられている。
【００４２】
以上のように、本実施形態では、図８に示したように、補助家具は、弾力性を有する材料で形成された背当て９であり、レール部材４４（レール）が設けられた面に当接しつつレール部材４４に係合しているものとした。
こうすることで、ベッド本体２を座部に、ヘッドボード３を背もたれにして、ベッド１をソファのように使用することができる。
【００４３】
以上、本発明を実施形態に基づいて具体的に説明してきたが、本発明は上記実施形態に限定されるものではなく、その要旨を逸脱しない範囲で変更可能である。
例えば、本実施形態では、ボード本体４の一端部に、床に載置するタイプの引き出し式収納７を係合させることにより、ヘッドボード３の底面を略Ｌ字状としたが、ボード本体の両袖、ボード本体４の一端部の正面および背面、或いはボード本体の一端部正面および他端部背面に、床に載置する補助家具を係合させることにより、ヘッドボード３の下面を略コ字状、Ｔ字状、クランク状等にしてもよい。そうすることで、より一層ヘッドボードが倒れにくいものとなる。
また、上記実施形態では、引き出し式収納７を、支持台７３を介して床Ｆに載置されるものとしたが、収納本体が直接床Ｆに載置されるようにしてもよい。
また、上記実施形態では、開口式収納６を、床Ｆから離間した状態で係止されるものと下が、引き出し式収納７と同様に床Ｆに載置された状態で係止されるものとしてもよい。
また、上記実施形態では、ベッド本体２の一対の被係止部２２の配置を互いに外側に向かって開くようにしたが、内側に向かって開くように配置してもよい。
【符号の説明】
【００４４】
１，１Ａ    ベッド
２    ベッド本体
２１  マットレス
２２  被係止部
３    ヘッドボード
４    ボード本体
４ａ  凹部
４１  フレーム
４２  装飾部
４３  下地材
４４  レール部材（レール）
４４ａ      凹部
４４ｂ      レール本体
４６  化粧板
５    棚（補助家具）
５１  棚係止部材
５２  棚板
６    開口式収納（補助家具）
６１  箱部
６２  収納係止部材
７    引き出し式収納（補助家具）
７１  収納本体
７１ｅ      開口部
７３  支持台
７４  収納係止部材
８    ベッド係止部材（係止部材）
９    背当て（補助家具）
９１  背当て係止部材
９２  クッション部
Ｂ１，Ｂ２  固定具
Ｆ    床
【図１】
0006490484.tif 000002
【図２】
0006490484.tif 000003
【図３】
0006490484.tif 000004
【図４】
0006490484.tif 000005
【図５】
0006490484.tif 000006
【図６】
0006490484.tif 000007
【図７】
0006490484.tif 000008
【図８】
0006490484.tif 000009